(57)【要約】【課題】クリップ４の挟持片４ｂを筒状部材２の側面に対して離間および接近させることを可能にすると同時に、クリップ基部４ａと頭端部材３との間の隙間Ｓを狭め隙間Ｓが目立たない状態にすることや、隙間Ｓを拡げることでクリップ基部４ａと頭端部材３とが接触しない状態にすることができる可動式クリップ付きの筆記具を提供する。【解決手段】頭端部材３に、下方が開口する凹部３ａを形成すると共に、凹部３ａの内側面にクリップ基部４ａに設けたカム部８ｄ，９ｃを一端側と他端側の両方向に変位させるカム受面３ｆを形成し、凹部３ａの内天面に前記カム部の凸部１０ａを上下方向に変位させる傾斜面３ｃを設け、コイルスプリング７の弾発力によりクリップ基部４ａを上方へ弾発することで、凸部１０ａを頭端部材３の傾斜面３ｃに当接させる構造とした。【選択図】図４
2009248424.tif 000002
【特許請求の範囲】
【請求項１】
連結軸を介して頭端部材と筒状部材とを相対的に回動可能に連結すると共に、クリップ基部の一端側から前記筒状部材の側面に沿って挟持片を垂設したクリップを、前記頭端部材と筒状部材との間に当該クリップ基部を配して装着し、前記頭端部材を前記筒状部材に対して前記連結軸の軸心周りに回動することにより、前記クリップの挟持片を前記筒状部材の側面に対して離間および接近させる構造の可動式クリップ付きの筆記具であって、前記クリップ基部に、一端側から他端側の方向に長手を有する長孔状の貫通孔を形成し、且つ該クリップ基部の上部に、一端部と他端部とにカム面を有したカム部を当該クリップ基部と一体または別体で設けると共に、前記カム部の上部に前記貫通孔より一端側で上方へ突出する凸部を設け、前記頭端部材に、下方が開口する凹部を形成すると共に、当該凹部の内側面に前記クリップ基部に設けたカム部を一端側と他端側の両方向に変位させるカム受面を形成し、且つ当該凹部の内天面に前記カム部の凸部を上下方向に変位させる傾斜面を設け、前記連結軸の軸部を前記クリップ基部の貫通孔および該クリップ基部の下方に配したコイルスプリングに挿通し、当該コイルスプリングの弾発力により前記クリップ基部を上方へ弾発することで、前記カム部の上部に設けた凸部を前記頭端部材の傾斜面に当接させ、前記クリップの挟持片が前記筒状部材の側面に接近した状態で前記頭端部材を回動することにより、前記頭端部材のカム受面にて前記クリップのカム部における他端部のカム面を一端側方向に押動して、該カム部と共に前記クリップ基部を一端側に変位させて、前記クリップの挟持片を前記筒状部材の側面から離間させると共に、前記頭端部材の傾斜面により前記カム部の凸部を下方へ変位させて、当該クリップ基部を下方へ押し下げて、当該クリップ基部と前記頭端部材との上下方向の隙間を拡げることにより、前記クリップの挟持片を持ち上げた際には前記カム部の凸部を支点に当該挟持片が開くものとし、前記クリップの挟持片が前記筒状部材の側面から離間した状態で前記頭端部材を回動することにより、前記頭端部材のカム受面にて前記クリップのカム部における一端部のカム面を他端側方向に押動して、該カム部と共に前記クリップ基部を他端側に変位させて、前記クリップの挟持片を前記筒状部材の側面に接近させると共に、前記コイルスプリングの弾発力により前記クリップ基部を上方へ押し上げて、前記カム部の凸部を前記頭端部材の傾斜面の上方へ変位させて、当該クリップ基部と前記頭端部材との上下方向の隙間を狭める構造としたことを特徴とする可動式クリップ付きの筆記具。
【請求項２】
請求項１に記載の可動式クリップ付きの筆記具であって、前記クリップ基部の上部に設けるカム部を、当該クリップ基部とは別体であるカム体に形成することにより、前記クリップの挟持片が前記筒状部材の側面から離間した状態で当該挟持片を持ち上げた際において、前記クリップ基部の一端側の上部が前記カム体の一端側の底部に当接する構造を特徴とする。
【請求項３】
請求項２に記載の可動式クリップ付きの筆記具であって、前記カム部の上部に設ける凸部を、前記カム体の一端側に形成した装着孔に装着した上下端が丸いピン部材の上端部で構成すると共に、該カム体の一端側の底部に、前記貫通孔の下部と交差し上方から下方に傾斜する面取部を設けて前記装着孔に装着したピン部材の下端部を当該面取部から露出させることにより、前記クリップの挟持片が前記筒状部材の側面から離間した状態で当該挟持片を持ち上げた際において、前記クリップ基部の一端側の上部を前記ピン部材の丸い下端部に当接させる構造を特徴とする。
【請求項４】
請求項１ないし３のいずれか１項に記載の可動式クリップ付きの筆記具であって、前記頭端部材の内天面に形成した傾斜面の最深部と最浅部の双方に、前記カム部に形成した凸部が係止する係止凹部を設けたことを特徴とする。
【発明の詳細な説明】
【技術分野】
【０００１】
本発明は、筒状部材と頭端部材との間にクリップ基部を配し、前記頭端部材を前記筒状部材に対して回動することで、クリップ基部から筒状部材の側面に沿って垂設した挟持片を、筒状部材の側面に対して離間および接近させる構造の可動式クリップ付きの筆記具に関する。
【背景技術】
【０００２】
従来より、筆記具の軸筒本体やキャップ本体などの筒状部材の側面から突出させたクリップの挟持片を、必要に応じ、軸筒本体やキャップ本体などの筒状部材の側面に対して近づけることが可能である可動式クリップ付きの筆記具はよく知られている。例えば実開昭６３−１００２９０号公報には、軸胴と軸胴内に備えたガイド筒を相対的に回動することにより、内部に設けたカム機構がクリップ基部に作用し、クリップの挟持片が軸胴の側面に対して接近と離間を行える可動式クリップ構造が記載されている。
【０００３】
尚、一般的な可動式のクリップ構造では、筆記具の軸筒やキャップ本体などの筒状部材と頭冠や尾冠などの頭端部材との間にクリップ基部を配して装着してあることから、クリップを開いて胸ポケットの縁などの被挟持物を挟み込む場合には、頭端部材とクリップ基部とが擦れないことが好ましく、特に部材に金属を使用した場合には、双方が接触することによる接触音や接触摩耗が生じないようにすることが求められている。しかしながら従来の可動式クリップ構造では、クリップが筒状部材の軸心方向に対して直交する方向、つまりクリップの挟持片が、筒状部材の側面に対して近づくか離れるかの動作しか行うことができないことから、クリップ基部と頭端部材との間の隙間を広くして双方が接触しないようにするか、あるいはクリップの挟持片に軟らかい材質を用いたり、挟持片を弾性変形しやすい形状に設定するなどして、挟持片を持ち上げた際にクリップ基部が頭端部材に接触してしまわないように注意を払う必要があった。
【特許文献１】「実開昭６３−１００２９０号公報」
【発明の開示】
【発明が解決しようとする課題】
【０００４】
しかし、クリップ基部と頭端部材との間の隙間が常に広く開いていることは、見栄えが悪く、またクリップの挟持片の材質や形状に限定を与えてしまうことは、コスト面やデザイン面に影響を及ぼすという問題が生じていた。
【０００５】
本発明はこうした問題を鑑みて、クリップの挟持片を筒状部材の側面に対して離間および接近させることが可能であると同時に、クリップ基部と頭端部材との間の隙間を狭め隙間が目立たない状態にすることや、クリップ基部と頭端部材との間の隙間を拡げることでクリップ基部と頭端部材とが接触しない状態にすることができる可動式クリップ付きの筆記具を提供することを目的とする。
【課題を解決するための手段】
【０００６】
本発明は、
「１．連結軸を介して頭端部材と筒状部材とを相対的に回動可能に連結すると共に、クリップ基部の一端側から前記筒状部材の側面に沿って挟持片を垂設したクリップを、前記頭端部材と筒状部材との間に当該クリップ基部を配して装着し、前記頭端部材を前記筒状部材に対して前記連結軸の軸心周りに回動することにより、前記クリップの挟持片を前記筒状部材の側面に対して離間および接近させる構造の可動式クリップ付きの筆記具であって、前記クリップ基部に、一端側から他端側の方向に長手を有する長孔状の貫通孔を形成し、且つ該クリップ基部の上部に、一端部と他端部とにカム面を有したカム部を当該クリップ基部と一体または別体で設けると共に、前記カム部の上部に前記貫通孔より一端側で上方へ突出する凸部を設け、前記頭端部材に、下方が開口する凹部を形成すると共に、当該凹部の内側面に前記クリップ基部に設けたカム部を一端側と他端側の両方向に変位させるカム受面を形成し、且つ当該凹部の内天面に前記カム部の凸部を上下方向に変位させる傾斜面を設け、前記連結軸の軸部を前記クリップ基部の貫通孔および該クリップ基部の下方に配したコイルスプリングに挿通し、当該コイルスプリングの弾発力により前記クリップ基部を上方へ弾発することで、前記カム部の上部に設けた凸部を前記頭端部材の傾斜面に当接させ、前記クリップの挟持片が前記筒状部材の側面に接近した状態で前記頭端部材を回動することにより、前記頭端部材のカム受面にて前記クリップのカム部における他端部のカム面を一端側方向に押動して、該カム部と共に前記クリップ基部を一端側に変位させて、前記クリップの挟持片を前記筒状部材の側面から離間させると共に、前記頭端部材の傾斜面により前記カム部の凸部を下方へ変位させて、当該クリップ基部を下方へ押し下げて、当該クリップ基部と前記頭端部材との上下方向の隙間を拡げることにより、前記クリップの挟持片を持ち上げた際には前記カム部の凸部を支点に当該挟持片が開くものとし、前記クリップの挟持片が前記筒状部材の側面から離間した状態で前記頭端部材を回動することにより、前記頭端部材のカム受面にて前記クリップのカム部における一端部のカム面を他端側方向に押動して、該カム部と共に前記クリップ基部を他端側に変位させて、前記クリップの挟持片を前記筒状部材の側面に接近させると共に、前記コイルスプリングの弾発力により前記クリップ基部を上方へ押し上げて、前記カム部の凸部を前記頭端部材の傾斜面の上方へ変位させて、当該クリップ基部と前記頭端部材との上下方向の隙間を狭める構造としたことを特徴とする可動式クリップ付きの筆記具。
２．前記１項に記載の可動式クリップ付きの筆記具であって、前記クリップ基部の上部に設けるカム部を、当該クリップ基部とは別体であるカム体に形成することにより、前記クリップの挟持片が前記筒状部材の側面から離間した状態で当該挟持片を持ち上げた際において、前記クリップ基部の一端側の上部が前記カム体の一端側の底部に当接する構造を特徴とする。
３．前記２項に記載の可動式クリップ付きの筆記具であって、前記カム部の上部に設ける凸部を、前記カム体の一端側に形成した装着孔に装着した上下端が丸いピン部材の上端部で構成すると共に、該カム体の一端側の底部に、前記貫通孔の下部と交差し上方から下方に傾斜する面取部を設けて前記装着孔に装着したピン部材の下端部を当該面取部から露出させることにより、前記クリップの挟持片が前記筒状部材の側面から離間した状態で当該挟持片を持ち上げた際において、前記クリップ基部の一端側の上部を前記ピン部材の丸い下端部に当接させる構造を特徴とする。
４．前記１項ないし３項のいずれか１項に記載の可動式クリップ付きの筆記具であって、前記頭端部材の内天面に形成した傾斜面の最深部と最浅部の双方に、前記カム部に形成した凸部が係止する係止凹部を設けたことを特徴とする。」である。
【０００７】
本発明の筒状部材とは、筆記具の軸筒やキャップ等の中空の筒状である部材のことをいい、頭端部材とは筒状部材の先端側にある頭冠のことだけでなく、後端側にあるいわゆる尾冠のことも含むものであり、要は筆記具の長手方向におけるクリップが装着してある側の端部にある部材のことをいう。また、クリップ基部に設けるカム部や該カム部に設ける凸部は、クリップ基部と一体に形成しても別体で設けてもよく、特にクリップ基部および挟持片を金属で形成する場合には、複雑形状であるカム部や凸部を設ける時の成形のしやすさや頭端部材の傾斜面との摺動性のよさから、樹脂材により別体で成形した方がよい。  尚、カム部をクリップ基部と別体で設ける場合には、筒状部材の軸心方向に直交する方向に対しては、クリップ基部とカム部とが頭端部材のカム受面により従動する構造とすると共に、カム部をクリップ基部と別体であるカム体に設ける場合には、頭端部材と筒状部材とを連結する連結軸がカム体にも挿通できるように、クリップ基部に設ける長孔状の貫通孔と同様に、カム体にも長孔状の貫通孔を設ける必要がある。また、クリップ基部やカム体に設ける貫通孔を、一端側から他端側の方向に長手を有した長孔状とするのは、軸心となる連結軸に対し、クリップ基部とカム体とを一端側方向と他端側方向に往復動可能とさせる隙間を設けるためである。
【発明の効果】
【０００８】
前述の通り本発明の可動式クリップ付きの筆記具は、頭端部材を回動することにより、クリップの挟持片を筒状部材の側面に対しては接近および離間させることができ、クリップの挟持片が筒状部材の側面から離間した状態では、クリップ基部と頭端部材との間の隙間が拡がり、挟持片で物を挟む際に、持ち上げたクリップのクリップ基部が頭端部材に直接接触してしまうことを防止できる。また、クリップの挟持片が筒状部材の側面に接近した状態では、クリップ基部と筒状部材との間の隙間が狭まり見栄えが良くなる。
【０００９】
２項に係る発明では、クリップ基部とカム体とを別体とすることで、カム体にカム面を円弧状に形成したり凸部を形成する場合においても、カム体を樹脂材により射出成形して成形を容易とすることが可能になる。またクリップ基部が頭端部材でなくカム体に当接する構造なので、クリップ基部を有するクリップ本体に金属を採用した場合においても、カム体を樹脂で成形することにより、双方の接触が滑らかなものとなる。
【００１０】
３項に係る発明では、さらにカム体とピン部材を別体とすることで、頭端部材を金属で形成した場合においても、ピン部材を樹脂材により射出成形することで、クリップ基部の一端側の上面とピン部材の下端部との接触、および頭端部材に設けた傾斜面とピン部材の上端部との接触が滑らかなものとなる。またさらに前述のように、クリップ基部や頭端部材を金属で形成した場合には、経時的にはピン部材が接触摩耗することとなるが、摩耗したピン部材だけを交換して性能を維持させることができる。
【００１１】
４項に係る発明では、カム部の上部に形成した突部が、頭端部材に形成した傾斜面に設けた係止凹部に係止できる構造とすることにより、使用者が頭端部材を回動させた際に、凸部が係止凹部に係止した時の感触によりクリップの状態を明確に認識することができるものとなる。
【発明を実施するための最良の形態】
【００１２】
筒状部材の側面に対するクリップの挟持片の軸心に直交する方向の変位と同時に、頭端部材に対するクリップ基部の軸心に沿った方向の変位を可能とする構造の可動式クリップ構造を実現した。
【実施例】
【００１３】
次に図面を参照しながら本実施例の説明を行う。本実施例では外形が四角形状のキャップ本体の先端部に頭冠を配し、該頭冠とキャップ本体との間にクリップ基部を配して、キャップ本体の側面にクリップ基部より垂設した挟持片を配した構造の筆記具用キャップについて説明するが、本発明は以下の実施例に限定されるものではない。図中の同じ部材、同じ部品については、同じ符号としてある。尚、本実施例の説明においては、頭端部材のある側を上方と表現し反対側を下方と表現する。またクリップの挟持片がある側を一端と表現し、反対側を他端と表現する。
【００１４】
図１は本実施例のキャップの斜視図である。キャップ１は、四角い筒状のキャップ本体２の上方部に、同じく四角い頭冠３を配し、キャップ本体２と頭冠３との間にクリップ本体４０のクリップ基部４ａを配し、クリップ基部４ａの一端側より垂設した挟持片４ｂをキャップ本体２の側面２０に沿わせるようにクリップ４を装着してある。また詳細は後述するが、頭冠３を回動することにより、クリップ４の挟持片４ｂがキャップ本体２の側面２０に対して離間および接近する構造であり、本実施例ではクリップ４の挟持片４ｂがキャップ本体２の側面２０に対してさらに接近できるように、キャップ本体２の側面２０に開口窓２ａを設けて、挟持片４ｂの一部が開口窓２ａに没入できる構造としてある。図２は図１の状態の頭冠を右回りに９０度回動（矢印Ａ方向）させた状態の図で、クリップ本体４０の挟持片４ｂを開口窓２ａから突出させ、挟持片４ｂをキャップ本体２の側面２０から離間させた状態の図である。尚、本実施例の頭冠３の上面には目印Ｍを設けて、頭冠３の回転状態を解りやすくしてある。
【００１５】
次に図３〜図５を用いて、本実施例のキャップの内部構造について説明を行う。
図３は本実施例のキャップの縦断面図で、図４は図３の要部拡大図で、図５はキャップの分解斜視図である。キャップ１は、上端開口部２ｂ、下端開口部２ｃを有するキャップ本体２の内部に内筒５を圧入してある。キャップ本体２の上端開口部２ｂの一端側は、側面２０に形成した開口窓２ａと連接させており、クリップ４の挟持片４ｂおよびクリップ基部４ａがＬ字形に収まるようにしてある。また内筒５の上部には一端側から他端側に長手を有する切欠窓５ａを設けてあり、該切欠窓５ａを挟んで相対向する一対の保持壁５ｂ，５ｃを膨出部５ｄより上方に突設させている。保持壁５ｂ，５ｃおよび膨出部５ｄは前述のキャップ本体２の上端開口部２ｂに挿通させてある。
【００１６】
図４にて詳細を示すように、内筒５の上部には内方へ膨出する段部５ｅを設けてあり、段部５ｅの下面には、キャップ本体２と頭冠３とを連結する連結軸６の下方に設けた鍔部６ａが当接できるようにしてある。また連結軸６には鍔部６ａから上方へ垂設した軸部６ｂを設けてあり、軸部６ｂの上端に形成した雄螺子部６ｃを、頭冠３の下面に設けた凹部３ａに突出させて形成した雌螺子部３ｂに螺合させ一体としている。したがって頭冠３は連結軸６により、内筒５を介してキャップ本体２と連結してあり、頭冠３を回動させた際には連結軸６を回転軸にして回動する構造である。
【００１７】
次に図４ならびに図６，図７を用いて、本実施例のクリップについて詳述を行う。図６は本実施例のクリップを分解した状態の図で、関係を解りやすくするためコイルスプリングおよび連結軸を記載してある。図７はクリップを組み立てた状態の図である。
図６に示すように本実施例では、クリップ４をクリップ本体４０と第一カム体８と第二カム体９とピン部材１０とで構成してある。またクリップ本体４０は、クリップ基部４ａの一端側より挟持片４ｂを下方に垂設してあり、クリップ基部４ａには一端側から他端側に長手を有する長孔状の貫通孔４ｃを上下に貫通するよう形成してある。また第一カム体８は平地部８ａに、前記貫通孔４ｃと合致する貫通孔８ｂを形成してあり、平地部８ａの他端部には上方へ垂設した起立壁８ｃを設け、起立壁８ｃの外面を円弧状の第一カム面８ｄとしてある。本実施例ではクリップ基部４ａと第一カム体８の平地部８ａとを接着剤により固着してある（図７参照）。また第二カム体９は、前記クリップ基部４ａの貫通孔４ｃと合致する貫通孔９ａを形成してあり、一端側には装着孔９ｂを形成してある。当該第一カム体９の一端側の外面は円弧状の第二カム面９ｃとしてあり、反対側の外面は平坦な垂直壁９ｄとし、第二カム体９の下面がクリップ本体４０のクリップ基部４ａと摺接し、第二カム体９の垂直壁９ｄが第一カム体８の起立壁８ｃと当接する構造である。また、第二カム体９の下面の一端側には前記装着孔９ｂと交差し上方から下方に傾斜する面取部９ｅを形成してあり、第二カム体９の上面の他端側には扇形の突起９ｆを形成してある。尚、第二カム体９の装着孔９ｂにピン部材１０を装着させた状態で、ピン部材１０の下端部１０ｂは第二カム体９の面取部９ｅから露出してクリップ基部４ａに当接し、ピン部材１０の上端部１０ａは第二カム体９の装着孔９ｂから露出した凸部となり、頭冠３に当接する（図４参照）。
図４に示すようにクリップ４は、第一カム体８の平地部８ａにコイルスプリング７の上端を当接させ、コイルスプリング７に挿通した連結軸６の軸部６ｂを、第一カム体８の貫通孔８ｂとクリップ基部４ａの貫通孔４ｃおよび第二カム体９の貫通孔９ａに挿通してある。
図８はクリップ本体の挟持片がキャップ本体の側面に接近した時のクリップと内筒との関係を解りやすくした状態の図である。図に示すようにクリップ基部４ａと第一カム体８および第二カム体９は、内筒５に形成した保持壁５ｂ，５ｃの間に回転不能で摺動可能に配置してある。
【００１８】
次に図４ならびに図９，図１０を用いて、本実施例の頭冠とクリップとの関係について詳述を行う。図９は図１の状態における頭冠をキャップ本体から外した時の平面視で、頭冠の内部構造を概念的に破線で示してある。図１０は図１の状態における頭冠を中間部で横断した断面図である。
図４に示すように、頭冠３の下面に形成した凹部３ａの内天面に形成した傾斜面３ｃは、図９で示すところの連結軸６を中心とした０度から９０度の範囲で放射状の破線のハッチングで示した部分であり、０度の位置が最も深い（上方）最深部３ｄとし、９０度の位置が最も浅い（下方）最浅部３ｅとした上下方向に傾斜する斜面である。本実施例では傾斜面３ｃの最深部３ｄの位置には係止凹部３０ｄを、最浅部３ｅの位置には係止凹部３０ｅを、ピン部材１０の上端部１０ａより大径で且つ側面が緩やかに傾斜面３ｃに連接するように設けてある。
図４，図９，図１０の状態は、いずれもクリップ４のピン部材１０が、頭冠３の傾斜面３ｃの最深部３ｄの位置にあり（図９参照）、係止凹部３０ｄにピン部材１０の上端部１０ａが係止した状態である。したがってクリップ４は第一カム体８がコイルスプリング７に弾発され、クリップ基部４ａは凸部となったピン部材１０の上端部１０ａが係止凹部３０ｄに係止するまで押し上げられ、クリップ基部４ａと頭冠３の下端部との上下方向の隙間を狭めている（図４参照）。
また図１０に示すように、頭冠３の内側面には、カム受面３ｆを、第一肉厚部３ｇおよび該第一肉厚部３ｇに対向する位置に形成した第一肉薄部３ｈと、前記第一肉厚部３ｇの右回りに９０度の位置に形成した第二肉厚部３ｉおよび該第二肉厚部３ｉに対向する位置に形成した第二肉薄部３ｊとで曲面形状に構成してある。図１０では、第二カム体９の第二カム面９ｃが頭冠３の第二肉厚部３ｇに接して、他端側に寄せられた状態である。図４に示すように、第二カム体９の垂直壁９ｄに当接した第一カム体８の起立壁８ｃも他端側に寄せられ、図４に示すように第一カム体８に接着したクリップ４の挟持片４ｂがキャップ本体２の側面２０に接近し、挟持片４ｂの一部が開口窓２ａに没入した状態となる。
【００１９】
次に、図２に示したように、クリップ本体４０の挟持片４ｂが、キャップ本体２の側面２０から離間する時の内部機構について図１１〜図１５を用いて詳述を行う。
図１１は図２の状態におけるキャップの縦断面図で、図１２は図１１の要部拡大図で、図１３はクリップと内筒との関係を解りやすくした状態の図である。図１４は図２の状態における頭冠をキャップ本体から外した時の平面視で、頭冠の内部構造を概念的に破線で示してある。図１５は図２の状態における頭冠を中間部で横断した断面図である。
本実施例の筆記具用キャップ１は、図１５に示すように、頭冠３を図１の状態から右回りに回動（図１における矢印Ａ方向）することにより、頭冠３の内側面に形成したカム受面３ｆが連結軸６を回転軸にして回動し、カム受面３ｆの第二肉厚部３ｉが第一カム体８の第一カム面８ｄを一方側方向に押して、第二カム体９の第二カム面９ｃをカム受面３ｆの第二肉薄部３ｊ側に寄せると共に、図１２に示すように、クリップ本体４０の挟持片４ｂをキャップ本体２の側面２０から離間させる構造である。この時図１２に示すように、凸部となったピン部材１０の上端部１０ａは、頭冠３の傾斜面３ｃにおける最浅部３ｅの係止凹部３０ｅに係止すると共に、下方に押し下げられ、押し下げられたピン部材１０の下端部１０ｂにより、コイルスプリング７で上方へ弾発されているクリップ基部４ａを下方に変位させて、クリップ基部４ａと頭冠３の下端部との間を拡げて、隙間Ｓを形成する。したがって、図１６に示すように、クリップ４の挟持片４ｂを開く際においては、頭冠３の傾斜面３ｃの係止凹部３０ｅに係止したピン部材１０の上端部１０ａが凸部として支点となり、隙間Ｓが狭まることで、クリップ基部４ｂを頭冠３の下端部に接触させることなく、挟持片４ｂを持ち上げることができた。
また反対に、図２に示すキャップ１の頭冠３を左回りに９０度回動（矢印Ｂ方向）させることにより、クリップ本体４０の挟持片４ｂは図１の状態となる。
【００２０】
尚、本実施例では、クリップ本体４０および頭冠３を金属で形成してあるが、ピン部材１０は樹脂成形してあり、またピン部材１０の上端部１０ａおよび下端部１０ｂの先端を半球状に丸めてあることから、ピン部材１０の下端部１０ｂに当接しているクリップ基部４ｂおよびピン部材１０の上端部１０ａに当接している頭冠３の傾斜面３ｃは、滑らかに摺動することができた。
【００２１】
また本実施例では、第二カム体９に形成した扇形の突起９ｆを、頭冠３の内天面に形成した略扇形の溝部３ｋ内に配してあり（図４，図９参照）、図１４に示すように、クリップ本体４０の挟持片４ｂをキャップ本体２の側面２０から離間させる方向に頭冠３を回動（図１における矢印Ａ方向）させた場合には、溝部３ｋの側縁３１ｋが突起９ｆに当接するまで頭冠３が回動し、図９に示すように、クリップ本体４０の挟持片４ｂをキャプ本体２の側面２０に接近させる場合には、溝部３ｋの側縁３２ｋが突起９ｆに当接するまで頭冠３が回動するので、使用者が頭冠３を回し過ぎることはない。
【産業上の利用可能性】
【００２２】
本発明による可動式クリップ構造は筆記具以外にも、化粧具や塗布具等のクリップ構造に用いることが可能である。
【図面の簡単な説明】
【００２３】
【図１】本実施例のキャップの斜視図である。
【図２】図１の状態の頭冠を右回りに９０度回動させた状態の図である。
【図３】本実施例のキャップの縦断面図である。
【図４】図３の要部拡大図である。
【図５】キャップの分解斜視図である。
【図６】本実施例のクリップを分解した状態の図で、関係を解りやすくするためコイルスプリングおよび連結軸を記載してある。
【図７】クリップを組み立てた状態の図である。
【図８】クリップ本体の挟持片がキャップ本体の側面に接近した時のクリップと内筒との関係を解りやすくした状態の図である。
【図９】図１の状態における頭冠をキャップ本体から外した時の平面視で、頭冠の内部構造を概念的に破線で示してある。
【図１０】図１の状態における頭冠を中間部で横断した断面図である。
【図１１】図２の状態におけるキャップの縦断面図である。
【図１２】図１１の要部拡大図である。
【図１３】クリップ本体の挟持片がキャップ本体の側面から離間した時のクリップと内筒との関係を解りやすくした状態の図である。
【図１４】図２の状態における頭冠をキャップ本体から外した時の平面視で、頭冠の内部構造を概念的に破線で示してある。
【図１５】図２の状態における頭冠を中間部で横断した断面図である。
【図１６】クリップを開いた状態の図である。
【符号の説明】
【００２４】
１…キャップ、
２…キャップ本体、２ａ…開口窓、２ｂ…上端開口部、２ｃ…下端開口部、
２０…側面、
３…頭冠、３ａ…凹部、３ｂ…雌螺子部、３ｃ…傾斜面、
３ｄ…最深部、３０ｄ…係止凹部、３ｅ…最浅部、３０ｅ…係止凹部、
３ｆ…カム受面、３ｇ…第一肉厚部、３ｈ…第一肉薄部、
３ｉ…第二肉厚部、３ｊ…第二肉薄部、
３ｋ…溝部、３１ｋ…側縁、３２ｋ…側縁、
４…クリップ、４０…クリップ本体、４ａ…クリップ基部、４ｂ…挟持片、
４ｃ…貫通孔、
５…内筒、５ａ…切欠窓、５ｂ…保持壁、５ｃ…保持壁、５ｄ…膨出部、
５ｅ…段部、５ｆ…貫通孔、
６…連結軸、６ａ…鍔部、６ｂ…軸部、６ｃ…雄螺子部、
７…コイルスプリング、
８…第一カム体、８ａ…平地部、８ｂ…貫通孔、８ｃ…起立壁、８ｄ…第一カム面、
９…第二カム体、９ａ…貫通孔、９ｂ…装着孔、９ｃ…第二カム面、９ｄ…垂直壁、
９ｅ…面取部、９ｆ…突起、
１０…ピン部材、１０ａ…上端部（凸部）、１０ｂ…下端部、Ｓ…隙間。
【図１】
2009248424.tif 000003
【図２】
2009248424.tif 000004
【図３】
2009248424.tif 000005
【図４】
2009248424.tif 000006
【図５】
2009248424.tif 000007
【図６】
2009248424.tif 000008
【図７】
2009248424.tif 000009
【図８】
2009248424.tif 000010
【図９】
2009248424.tif 000011
【図１０】
2009248424.tif 000012
【図１１】
2009248424.tif 000013
【図１２】
2009248424.tif 000014
【図１３】
2009248424.tif 000015
【図１４】
2009248424.tif 000016
【図１５】
2009248424.tif 000017
【図１６】
2009248424.tif 000018